(57)【特許請求の範囲】
【請求項１】
特定ユーザが記載した文字列および絵文字を含む文章ファイルの評価レベルを、副詞的絵文字に対する副詞的倍率と該副詞的絵文字の係り受けとなる評価絵文字に対する評価レベルとの積を用いて算出する文章ファイル評価装置であり、
前記文章ファイルを格納する文章ファイル蓄積部と、
前記文章ファイル蓄積部から読み込んだ評価対象文章ファイルを用いて、特定ユーザが絵文字を使用する頻度および特定ユーザが文章ファイルを作成する頻度を取得するユーザ情報取得部と、
ユーザ毎に、ユーザが絵文字を使用する頻度およびユーザが文章ファイルを作成する頻度を格納するユーザ情報記憶部と、
前記ユーザ情報記憶部から特定ユーザが絵文字を使用する頻度および該特定ユーザが文章ファイルを作成する頻度を取得し、取得した該特定ユーザが絵文字を使用する頻度および該特定ユーザが文章ファイルを作成する頻度に基づいて、該特定ユーザに適用する副詞的倍率を操作する絵文字倍率操作部と、
を備えたことを特徴とする文章ファイル評価装置。
【請求項２】
前記絵文字倍率操作部は、文章ファイル作成頻度が高いほど副詞的倍率を小さくし、且つ、絵文字使用頻度が高いほど副詞的倍率を小さくすることを特徴とする請求項１に記載の文章ファイル評価装置。
【請求項３】
前記ユーザ情報取得部は、
特定ユーザが一定期間内に作成した評価対象文章ファイルの総数を計数する評価対象文章ファイル総数計数部と、
特定ユーザが一定期間内に作成した評価対象文章ファイルに含まれる絵文字の総数を計数する絵文字総数計数部と、
特定ユーザに関し、前記絵文字総数を前記評価対象文章ファイル総数で除して絵文字使用数の平均値を計算する絵文字使用数平均値計算部と、
全ユーザの絵文字使用数平均値についての平均値を計算する全ユーザ絵文字使用数平均値計算部と、を有し、
前記絵文字倍率操作部は、
特定ユーザの絵文字使用数平均値を全ユーザ絵文字使用数平均値と比較する比較部と、
特定ユーザに関し、前記比較部による比較結果および前記評価対象文章ファイル総数に基づいて、該特定ユーザに適用する副詞的倍率操作を決定する副詞的倍率操作決定部と、を有する、
ことを特徴とする請求項２に記載の文章ファイル評価装置。
【請求項４】
文章ファイル蓄積部と、ユーザ情報取得部と、ユーザ情報記憶部と、絵文字倍率操作部と、を備え、特定ユーザが記載した文字列および絵文字を含む文章ファイルの評価レベルを、副詞的絵文字に対する副詞的倍率と該副詞的絵文字の係り受けとなる評価絵文字に対する評価レベルとの積を用いて算出する文章ファイル評価装置の文章ファイル評価方法であり、
前記文章ファイル蓄積部が、前記文章ファイルを格納するステップと、
前記ユーザ情報取得部が、前記文章ファイル蓄積部から読み込んだ評価対象文章ファイルを用いて、特定ユーザが絵文字を使用する頻度および特定ユーザが文章ファイルを作成する頻度を取得するステップと、
前記ユーザ情報記憶部が、ユーザ毎に、ユーザが絵文字を使用する頻度およびユーザが文章ファイルを作成する頻度を格納するステップと、
前記絵文字倍率操作部が、前記ユーザ情報記憶部から特定ユーザが絵文字を使用する頻度および該特定ユーザが文章ファイルを作成する頻度を取得し、取得した該特定ユーザが絵文字を使用する頻度および該特定ユーザが文章ファイルを作成する頻度に基づいて、該特定ユーザに適用する副詞的倍率を操作するステップと、
を含むことを特徴とする文章ファイル評価方法。
【請求項５】
特定ユーザが記載した文字列および絵文字を含む文章ファイルの評価レベルを、副詞的絵文字に対する副詞的倍率と該副詞的絵文字の係り受けとなる評価絵文字に対する評価レベルとの積を用いて算出するためのコンピュータプログラムであり、
前記文章ファイルを文章ファイル蓄積部に格納するステップと、
前記文章ファイル蓄積部から読み込んだ評価対象文章ファイルを用いて、特定ユーザが絵文字を使用する頻度および特定ユーザが文章ファイルを作成する頻度を取得するステップと、
ユーザ毎に、ユーザが絵文字を使用する頻度およびユーザが文章ファイルを作成する頻度をユーザ情報記憶部に格納するステップと、
前記ユーザ情報記憶部から特定ユーザが絵文字を使用する頻度および該特定ユーザが文章ファイルを作成する頻度を取得し、取得した該特定ユーザが絵文字を使用する頻度および該特定ユーザが文章ファイルを作成する頻度に基づいて、該特定ユーザに適用する副詞的倍率を操作するステップと、
をコンピュータに実行させるためのコンピュータプログラム。
【発明の詳細な説明】
【技術分野】
【０００１】
本発明は、文章ファイル評価装置、文章ファイル評価方法、及びコンピュータプログラムに関する。
【背景技術】
【０００２】
近年、個人がインターネットのサイトに発信・投稿した文章ファイルを検索し、該文章ファイルの内容を点数化することによって、該文章ファイルが含む「評判」を分析する「評判分析サービス」が提供されている。その評判分析サービスに利用可能な従来の文章ファイル評価技術では、文章ファイルに対して形態素解析を実行し、形態素の意味を点数化することによって文章ファイルの評価レベルを決定している（例えば特許文献１参照）。
【先行技術文献】
【特許文献】
【０００３】
【特許文献１】特許第３９６２３８２号公報
【発明の概要】
【発明が解決しようとする課題】
【０００４】
しかし、上述した従来の文章ファイル評価技術では、文字列および絵文字を含む文章ファイルに対して、ユーザ（文章作成者）が絵文字を使用した意図を汲み取って評価レベルを決定することができない。特に携帯電話機で投稿文章を作成する場合、ユーザは、一見して文章の意図を把握しやすくするために、感情を表現する絵文字や言葉を強調する絵文字などを使用することがある。したがって、文字列および絵文字を含む文章ファイルに対しては、絵文字が意図する内容を評価レベルに反映させることが重要である。又、同じ絵文字でも、ユーザによって絵文字で表現する強弱が異なることが考えられる。このため、絵文字が意図する内容をユーザに応じて評価レベルに反映させることが望ましい。
【０００５】
本発明は、このような事情を考慮してなされたもので、文字列および絵文字を含む文章ファイルの評価レベルを算出する際に、絵文字が意図する内容をユーザに応じて評価レベルに反映させることができる文章ファイル評価装置、文章ファイル評価方法、及びコンピュータプログラムを提供することを課題とする。
【課題を解決するための手段】
【０００６】
上記の課題を解決するために、本発明に係る文章ファイル評価装置は、特定ユーザが記載した文字列および絵文字を含む文章ファイルの評価レベルを、評価絵文字に対する評価レベルと副詞的絵文字に対する副詞的倍率との積を用いて算出する文章ファイル評価装置であり、特定ユーザが絵文字を使用する頻度および特定ユーザが文章ファイルを作成する頻度を取得するユーザ情報取得部と、特定ユーザが絵文字を使用する頻度および該特定ユーザが文章ファイルを作成する頻度に基づいて、該特定ユーザに適用する副詞的倍率を操作する絵文字倍率操作部と、を備えたことを特徴とする。
【０００７】
本発明に係る文章ファイル評価装置において、前記絵文字倍率操作部は、文章ファイル作成頻度が高いほど副詞的倍率を小さくし、且つ、絵文字使用頻度が高いほど副詞的倍率を小さくすることを特徴とする。
【０００８】
本発明に係る文章ファイル評価装置において、前記ユーザ情報取得部は、特定ユーザが一定期間内に作成した評価対象文章ファイルの総数を計数する評価対象文章ファイル総数計数部と、特定ユーザが一定期間内に作成した評価対象文章ファイルに含まれる絵文字の総数を計数する絵文字総数計数部と、特定ユーザに関し、前記絵文字総数を前記評価対象文章ファイル総数で除して絵文字使用数の平均値を計算する絵文字使用数平均値計算部と、全ユーザの絵文字使用数平均値についての平均値を計算する全ユーザ絵文字使用数平均値計算部と、を有し、前記絵文字倍率操作部は、特定ユーザの絵文字使用数平均値を全ユーザ絵文字使用数平均値と比較する比較部と、特定ユーザに関し、前記比較部による比較結果および前記評価対象文章ファイル総数に基づいて、該特定ユーザに適用する副詞的倍率操作を決定する副詞的倍率操作決定部と、を有することを特徴とする。
【０００９】
本発明に係る文章ファイル評価方法は、特定ユーザが記載した文字列および絵文字を含む文章ファイルの評価レベルを、評価絵文字に対する評価レベルと副詞的絵文字に対する副詞的倍率との積を用いて算出する文章ファイル評価方法であり、特定ユーザが絵文字を使用する頻度を取得するステップと、特定ユーザが文章ファイルを作成する頻度を取得するステップと、特定ユーザが絵文字を使用する頻度および該特定ユーザが文章ファイルを作成する頻度に基づいて、該特定ユーザに適用する副詞的倍率を操作するステップと、を含むことを特徴とする。
【００１０】
本発明に係るコンピュータプログラムは、特定ユーザが記載した文字列および絵文字を含む文章ファイルの評価レベルを、評価絵文字に対する評価レベルと副詞的絵文字に対する副詞的倍率との積を用いて算出するためのコンピュータプログラムであり、特定ユーザが絵文字を使用する頻度を取得するステップと、特定ユーザが文章ファイルを作成する頻度を取得するステップと、特定ユーザが絵文字を使用する頻度および該特定ユーザが文章ファイルを作成する頻度に基づいて、該特定ユーザに適用する副詞的倍率を操作するステップと、をコンピュータに実行させるためのコンピュータプログラムであることを特徴とする。
これにより、前述の文章ファイル評価装置がコンピュータを利用して実現できるようになる。
【発明の効果】
【００１１】
本発明によれば、文字列および絵文字を含む文章ファイルの評価レベルを算出する際に、絵文字が意図する内容をユーザに応じて評価レベルに反映させることができるという効果が得られる。
【図面の簡単な説明】
【００１２】
【図１】本発明の一実施形態に係る文章ファイル評価装置１の構成を示すブロック図である。
【図２】図１に示す絵文字辞書部２０の構成例である。
【図３】図１に示すユーザ情報取得部３０の構成図である。
【図４】図１に示す絵文字倍率操作部５０の構成図である。
【図５】本発明の一実施形態に係る副詞的倍率操作の規則の例である。
【図６】評価対象文章ファイルの例である。
【図７】本発明の一実施形態に係る文章ファイル評価レベル算出手順を示すフローチャートである。
【発明を実施するための形態】
【００１３】
以下、図面を参照し、本発明の実施形態について説明する。
図１は、本発明の一実施形態に係る文章ファイル評価装置１の構成を示すブロック図である。図１において、文章ファイル評価装置１は、通信インタフェース部１１、文章ファイル蓄積部１２、形態素解析部１３、文字列抽出部１４、文字列レベル検索部１５、文字列辞書部１６、絵文字辞書部２０、絵文字抽出部２１、絵文字レベル検索部２２、副詞的倍率検索部２３、係り受け解析部２４、評価レベル決定部２５、ユーザ情報取得部３０、ユーザ情報記憶部４０、及び絵文字倍率操作部５０を有する。
【００１４】
通信インタフェース部１１は、通信ネットワークに接続する。通信ネットワークは、データ通信が可能なネットワークであればよく、無線回線で接続しても又は有線回線で接続してもよい。通信インタフェース部１１は、通信ネットワークを介して、評価対象の文章ファイルを取得する。例えば、通信インタフェース部１１は、インターネットのサイトから評価対象の文章ファイルを取得する。インターネットのサイトとしては、個人から発信・投稿された文章ファイルを蓄積するＷｅｂサイトとして、例えば、ブログ（Web Blog）、クチコミサイト、Ｑ＆Ａコミュニティ、ＳＮＳ（Social Networking Service）、ＣＯＩ（Community Of Interest）サイトなどが利用可能である。又は、通信インタフェース部１１は、携帯電話向けのサイトから評価対象の文章ファイルを取得する。携帯電話向けのサイトとしては、インターネットと同様のサイトが利用できる。
【００１５】
ここで、本実施形態における「文章ファイル」及び「絵文字」について説明する。本実施形態において「文章ファイル」は、テキストとしての文字列、及び「絵文字」を含む。「絵文字」とは、意味（例えば感情表現）を伝えるために用いられる簡略化した絵をいう。これは、例えばピクトグラムとも称され、既存の言語体系に関わらず、誰でも（例えばその言語を理解できない外国人でも）が、その表示の意味を理解できる。絵文字は、特に、携帯電話機同士のメールの送受信に用いられている。例えば、感情を表現するための「笑顔」、「泣き顔」、「ハートマーク」等、様々なアイコンが用意されている。絵文字は、テキストを含むメールを書く際に、感情を手軽に表現するアイコンとして用いられる。
【００１６】
「絵文字」は、一般的なテキストとは異なる文字コードを備えている。通常、テキストとは、半角の英数字のようなＡＳＣＩＩコード、日本語漢字のようなＪＩＳコード又はシフトＪＩＳ、多言語を対象にしたＵｎｉｃｏｄｅなどを意味する。これに対し、絵文字は、これら文字コードと重畳しないように、各携帯電話通信事業者が、独自に絵文字とその文字コードとを決めている。従って、通信事業者又は携帯電話機メーカが異なる場合、完全に同じ絵文字を表示できるとは限らない。また、特定の通信事業者では、エスケープコードの後に絵文字の内容を送信する場合もある。このエスケープコードは、「その後のデータは絵文字である」旨を意味する。従って、パーソナルコンピュータのアプリケーションとしてのテキストエディタでは、絵文字を表示することはできない。このように、テキストと絵文字とは異なる文字体系を有する。
【００１７】
説明を図１に戻す。文章ファイル蓄積部１２は、通信インタフェース部１１が取得した評価対象の文章ファイルを格納する。
【００１８】
形態素解析部１３は、文章ファイル蓄積部１２から文章ファイルを読み込み、読み込んだ文章ファイルを形態素に分解する。形態素解析部１３は、分解した形態素を文字列抽出部１４及び絵文字抽出部２１へ出力する。
【００１９】
文字列辞書部１６は、評価文字列としての特定文字列と評価レベルとの組を格納する。評価レベルとしては、「肯定的」又は「否定的」のいずれかが設定される。又は、「肯定的」及び「否定的」の各各に対して、複数の評価レベルを段階的に設定してもよい。
【００２０】
文字列抽出部１４は、文字列辞書部１６を用いて、形態素解析部１３から入力した形態素の中から評価文字列に対応する形態素を抽出する。文字列抽出部１４は、抽出した形態素から成る評価文字列を文字列レベル検索部１１４へ出力する。
【００２１】
文字列レベル検索部１５は、文字列抽出部１４から入力した評価文字列に対する評価レベルを文字列辞書部１１２から取得する。文字列レベル検索部１５は、取得した評価レベルを評価レベル決定部２５へ出力する。
【００２２】
絵文字辞書部２０は、評価絵文字としての特定絵文字と評価レベルとの組を格納する。さらに、絵文字辞書部２０は、副詞的絵文字としての特定絵文字と副詞的倍率との組を格納する。図２に絵文字辞書部２０の構成例を示す。図２の例では、３個の評価絵文字「タイトル：きらきら」、「タイトル：ハート」及び「タイトル：涙ぽろり」が登録されている。評価絵文字「タイトル：きらきら」及び「タイトル：ハート」に対しては評価レベル「肯定的」が設定されている。評価絵文字「タイトル：涙ぽろり」に対しては評価レベル「否定的」が設定されている。又、図２の例では、１個の副詞的絵文字「タイトル：強調」が登録されている。副詞的絵文字「タイトル：強調」に対しては副詞的倍率「１．２」が設定されている。
【００２３】
絵文字抽出部２１は、絵文字辞書部２０を用いて、形態素解析部１３から入力した形態素の中から評価絵文字に対応する形態素を抽出する。絵文字抽出部２１は、抽出した形態素から成る評価絵文字を絵文字レベル検索部２２へ出力する。さらに、絵文字抽出部２１は、絵文字辞書部２０を用いて、形態素解析部１３から入力した形態素の中から副詞的絵文字に対応する形態素を抽出する。絵文字抽出部２１は、抽出した形態素から成る副詞的絵文字を副詞的倍率検索部２３へ出力する。
【００２４】
絵文字レベル検索部２２は、絵文字抽出部２１から入力した評価絵文字に対する評価レベルを絵文字辞書部２０から取得する。絵文字レベル検索部２２は、取得した評価レベルを評価レベル決定部２５へ出力する。
【００２５】
副詞的倍率検索部２３は、絵文字抽出部２１から入力した副詞的絵文字に対する副詞的倍率を絵文字辞書部２０から取得する。副詞的倍率検索部２３は、取得した副詞的倍率を係り受け解析部２４へ出力する。
【００２６】
係り受け解析部２４は、副詞的絵文字の係り受けとなる評価絵文字又は評価文字列を検出する。係り受け解析部２４は、副詞的絵文字の係り受けの検出結果を副詞的倍率と共に評価レベル決定部２５へ出力する。
【００２７】
なお、既存の構文解析（Syntactic Analysis）技術を用いることによって、どの文字列又は絵文字に、副詞的に係り受けされているかを判定することができる。構文解析の処理は、パーサ（parse）とも称され、文章の文法的な関係を解析する。構文解析は、通常、文章ファイルにおける木構造のデータ構造と、字句解析に基づく字句とを入力し、構文木や抽象構文木のようなデータ構造を生成する。これによって、副詞的絵文字が、どの評価文字列又は評価絵文字に係り受けされているかを決定することができる。
【００２８】
評価レベル決定部２５は、評価文字列全て及び評価絵文字全ての評価レベルの和に基づいて、文章ファイルの評価レベルを決定する。このとき、副詞的絵文字の係り受けとなる評価絵文字又は評価文字列の評価レベルに、当該副詞的絵文字の副詞的倍率を乗算する。その副詞的倍率は、絵文字倍率操作部５０によって操作される。評価レベル決定部２５は、決定した評価レベルを文章ファイルに対応付けて文章ファイル蓄積部１２へ格納する。
【００２９】
ユーザ情報取得部３０は、形態素解析部１３が文章ファイル蓄積部１２から読み込んだ文章ファイル（評価対象文章ファイル）を用いて、ユーザ情報を取得する。ユーザ情報記憶部４０は、ユーザ毎に、ユーザ情報を格納する。絵文字倍率操作部５０は、ユーザ情報記憶部４０を用いて、ユーザ毎に、副詞的倍率を操作する。
【００３０】
図３は、図１に示すユーザ情報取得部３０の構成図である。図３において、ユーザ情報取得部３０は、評価対象文章ファイル総数計数部３１と絵文字総数計数部３２と絵文字使用数平均値計算部３３と全ユーザ絵文字使用数平均値計算部３４を有する。
【００３１】
評価対象文章ファイル総数計数部３１は、特定ユーザが一定期間内に作成した評価対象文章ファイルの総数を計数する。ここで、特定ユーザが作成した評価対象文章ファイルは、特定ユーザが新規に作成した文章ファイルと既に作成されている文章ファイルを更新した文章ファイルとを含む。特定ユーザの評価対象文章ファイル総数は、該特定ユーザが文章ファイルを作成する頻度を表す。
【００３２】
絵文字総数計数部３２は、特定ユーザが一定期間内に作成した評価対象文章ファイルに含まれる絵文字の総数を計数する。絵文字使用数平均値計算部３３は、特定ユーザに関し、絵文字総数を評価対象文章ファイル総数で除して絵文字使用数の平均値を計算する。全ユーザ絵文字使用数平均値計算部３４は、全ユーザの絵文字使用数平均値についての平均値を計算する。
【００３３】
ユーザ情報記憶部４０は、ユーザ毎に、評価対象文章ファイル総数および絵文字使用数平均値を格納する。さらに、ユーザ情報記憶部４０は、全ユーザ絵文字使用数平均値を格納する。
【００３４】
図４は、図１に示す絵文字倍率操作部５０の構成図である。図４において、絵文字倍率操作部５０は、比較部５１と副詞的倍率操作決定部５２を有する。
【００３５】
絵文字倍率操作部５０は、ユーザ情報記憶部４０から必要な情報を取得する。比較部５１は、特定ユーザの絵文字使用数平均値を全ユーザ絵文字使用数平均値と比較する。副詞的倍率操作決定部５２は、特定ユーザに関し、比較部５１による比較結果および評価対象文章ファイル総数に基づいて、該特定ユーザに適用する副詞的倍率操作を決定する。
【００３６】
図５は、本実施形態に係る副詞的倍率操作の規則の例である。図５に示される副詞的倍率操作の規則では、特定ユーザに関し、絵文字使用頻度と文章ファイル作成頻度との関係に応じて、該特定ユーザに適用する副詞的倍率を変える。具体的には、文章ファイル作成頻度が高いほど副詞的倍率を小さくし、且つ、絵文字使用頻度が高いほど副詞的倍率を小さくする。
【００３７】
図５には、丸数字の値が小さいほどに、副詞的倍率を小さくすることが示されている。図５において、文章ファイル作成頻度が高く、且つ、絵文字使用頻度が高い場合（丸数字「１」の場合）、副詞的倍率を１番小さくする。文章ファイル作成頻度が低く、且つ、絵文字使用頻度が高い場合（丸数字「２」の場合）、副詞的倍率を２番目に小さくする。文章ファイル作成頻度が高く、且つ、絵文字使用頻度が低い場合（丸数字「３」の場合）、副詞的倍率を３番目に小さくする。文章ファイル作成頻度が低く、且つ、絵文字使用頻度が低い場合（丸数字「４」の場合）、副詞的倍率を最も大きくする。
【００３８】
特定ユーザの絵文字使用頻度が高いか低いかの判定は、比較部５１による比較結果に基づく。具体的には、特定ユーザの絵文字使用数平均値が全ユーザ絵文字使用数平均値以上である場合に、該特定ユーザの絵文字使用頻度が高いと判定する。一方、特定ユーザの絵文字使用数平均値が全ユーザ絵文字使用数平均値未満である場合には、該特定ユーザの絵文字使用頻度が低いと判定する。
【００３９】
特定ユーザの文章ファイル作成頻度が高いか低いかの判定は、該特定ユーザの評価対象文章ファイル総数に基づく。具体的には、評価対象文章ファイル総数に関する基準値を定義し、特定ユーザの評価対象文章ファイル総数が基準値以上である場合に、該特定ユーザの文章ファイル作成頻度が高いと判定する。一方、特定ユーザの評価対象文章ファイル総数が基準値未満である場合には、該特定ユーザの文章ファイル作成頻度が低いと判定する。
【００４０】
評価対象文章ファイル総数に関する基準値は、任意に設定可能とする。例えば、ブログを持つユーザのうち６０％くらいのユーザが週１回はブログを更新している。この情報を基にして評価対象文章ファイル総数に関する基準値を決定してもよい。
【００４１】
又、評価対象文章ファイル総数に関する基準値を複数設定し、文章ファイル作成頻度の判定を行ってもよい。例えば、判定区分を「たまに作成する」と「毎日、作成する」とし、「たまに作成する」の判定基準を例えば一ヶ月３回未満の頻度とし、「毎日、作成する」の判定基準を例えば週二回以上（一ヶ月８回以上）の頻度とする。
【００４２】
絵文字倍率操作部５０は、副詞的倍率操作決定部５２が決定した副詞的倍率操作の命令を評価レベル決定部２５へ出力する。評価レベル決定部２５は、絵文字倍率操作部５０から入力した副詞的倍率操作命令に従って、特定ユーザに適用する副詞的倍率を変更する。
【００４３】
具体例として、図２の絵文字辞書部２０に登録されている副詞的絵文字「タイトル：強調」に対しては副詞的倍率「１．２」が設定されているが、この副詞的倍率「１．２」を副詞的倍率操作命令に従って変更してから使用する。例えば、図５において、文章ファイル作成頻度が高く、且つ、絵文字使用頻度が高い場合（丸数字「１」の場合）には、副詞的倍率操作は０．５倍とする。文章ファイル作成頻度が低く、且つ、絵文字使用頻度が高い場合（丸数字「２」の場合）には、副詞的倍率操作は０．８倍とする。文章ファイル作成頻度が高く、且つ、絵文字使用頻度が低い場合（丸数字「３」の場合）には、副詞的倍率操作は１．０倍とする。文章ファイル作成頻度が低く、且つ、絵文字使用頻度が低い場合（丸数字「４」の場合）には、副詞的倍率操作は１．２倍とする。
【００４４】
評価レベル決定部２５は、該副詞的倍率操作の倍率を、副詞的絵文字「タイトル：強調」の元の副詞的倍率「１．２」に乗算する。これにより、文章ファイル作成頻度が高く、且つ、絵文字使用頻度が高い場合（丸数字「１」の場合）には、副詞的絵文字「タイトル：強調」の副詞的倍率は「１．２×０．５＝０．６」となる。文章ファイル作成頻度が低く、且つ、絵文字使用頻度が高い場合（丸数字「２」の場合）には、副詞的絵文字「タイトル：強調」の副詞的倍率は「１．２×０．８＝０．９６」となる。文章ファイル作成頻度が高く、且つ、絵文字使用頻度が低い場合（丸数字「３」の場合）には、副詞的絵文字「タイトル：強調」の副詞的倍率は「１．２×１．０＝１．２」となる。文章ファイル作成頻度が低く、且つ、絵文字使用頻度が低い場合（丸数字「４」の場合）には、副詞的絵文字「タイトル：強調」の副詞的倍率は「１．２×１．２＝１．４４」となる。
【００４５】
次に、図６を参照して、本実施形態に係る文章ファイルの評価レベルを算出する方法を具体的に説明する。図６は、評価対象文章ファイルの例である。図６（ａ）は、特定ユーザが作成した文章ファイルの例である。図６（ｂ）は、図６（ａ）の文章ファイルを、形態素に分解した結果である。形態素の区切りは／で示されている。
【００４６】
図６（ｃ）は、図６（ｂ）の形態素に対する副詞的絵文字の係り受け解析結果である。図６（ｃ）において、副詞的絵文字「タイトル：強調」１０３は、文字列「悔しい」１０２に係り受けする。副詞的絵文字「タイトル：強調」１１３は、文字列「バカやろ」１１１に係り受けする。
【００４７】
ここで、文字列辞書部１６には、次の「評価文字列と評価レベルとの組」が登録されているとする。
評価文字列「悔しい」  ：−１（否定的）
評価文字列「バカやろ」：−１（否定的）
【００４８】
又、絵文字辞書部２０には、次の「評価絵文字と評価レベルとの組」及び「副詞的絵文字と副詞的倍率との組」が登録されているとする。
評価絵文字「タイトル：涙ぽろり」：−１（否定的）
副詞的絵文字「タイトル：強調」  ：１．２倍（副詞的倍率）
【００４９】
評価レベル決定部２５は、図６（ｃ）中の評価文字列、評価絵文字および副詞的絵文字に対応する評価レベルと副詞的倍率を用いて、図６（ａ）の文章ファイルに対する評価レベルを算出する。このとき、当該特定ユーザに対する副詞的倍率操作を用いて、副詞的倍率を変更する。この例では、副詞的倍率操作が０．５倍であるとする。これにより、図６（ａ）の文章ファイルに対する評価レベルは、次式で算出されて「−３．２」となる。
（評価絵文字「タイトル：涙ぽろり」１０１の評価レベル「−１」）＋（（評価文字列「悔しい」１０２の評価レベル「−１」）×（副詞的絵文字「タイトル：強調」１０３の副詞的倍率「１．２」）×（副詞的倍率操作倍率「０．５」））＋（評価文字列「悔しい」１０４の評価レベル「−１」）＋（（評価文字列「バカやろ」１１１の評価レベル「−１」）×（副詞的絵文字「タイトル：強調」１１３の副詞的倍率「１．２」）×（副詞的倍率操作倍率「０．５」））＝（−１）＋（−１×１．２×０．５）＋（−１）＋（−１×１．２×０．５）＝−３．２
【００５０】
次に、図７を参照して、本実施形態に係る文章ファイル評価レベル算出手順を説明する。図７は、本実施形態に係る文章ファイル評価レベル算出手順を示すフローチャートである。
【００５１】
（Ｓ１）文字列及び絵文字を含む文章ファイルが読み込まれる。
（Ｓ２）文章ファイルを用いて、ユーザ情報を取得する。
（Ｓ３）文章ファイルを形態素に分解する。
（Ｓ４）文字列辞書を用いて、評価文字列に対応する形態素を抽出する。
（Ｓ５）文字列辞書を用いて、抽出された評価文字列に対する評価レベルを検索する。
（Ｓ６）絵文字辞書を用いて、評価絵文字に対応する形態素を抽出する。
（Ｓ７）絵文字辞書を用いて、抽出された評価絵文字に対する評価レベルを検索する。
（Ｓ８）絵文字辞書を用いて、抽出された副詞的絵文字に対する副詞的倍率を検索する。
（Ｓ９）ユーザ情報を用いて、特定ユーザの副詞的倍率を操作する。
（Ｓ１０）副詞的絵文字の係り受けとなる評価絵文字又は評価文字列を検出する。
（Ｓ１１）評価文字列全ての評価レベルと、評価絵文字全ての評価レベルとの和に基づいて、文章ファイルの評価レベルを決定する。このとき、評価絵文字又は評価文字列の評価レベルに、当該副詞的絵文字の副詞的倍率を乗算する。
（Ｓ１２）評価レベルを、当該文章ファイルに対応付ける。
【００５２】
上述した実施形態によれば、特定ユーザの絵文字使用頻度に応じて、該特定ユーザに適用する副詞的倍率操作を決定する。これにより、文字列および絵文字を含む文章ファイルの評価レベルを算出する際に、絵文字が意図する内容をユーザに応じて評価レベルに反映させることができ、同じ絵文字でも、ユーザによって絵文字で表現する強弱が異なることに対応することができるようになる。
【００５３】
例えば、いつも絵文字を頻繁に使っているユーザは、文章を書く時、絵文字を使うことが習慣になっているので、その文章中の絵文字は特に内容を強調するためのものであるとはいえない。これに対して、普段あまり絵文字を使ってないユーザが絵文字を使うときは、自分が書いているその内容を特に強調するためであるといえる。このように絵文字はユーザによってその使い方が異なるが、本実施形態によれば、ユーザに応じた重み付けを絵文字に対して行うことができる。
【００５４】
具体的には、絵文字を比較的多く使うユーザに対しては絵文字の重みを比較的低く設定する。一方、絵文字を比較的少なく使うユーザに対しては絵文字の重みを比較的高く設定する。これにより、絵文字を均一の重みとして扱うことによって頻繁に絵文字を使っているユーザの文章ファイルが肯定的又は否定的へと評価レベルが大きくふられることを防止することができるようになる。この結果、評判分析サービスにおける評判分析の精度向上が期待できる。
【００５５】
又、本実施形態によれば、特定ユーザの文章ファイル作成頻度に応じて、該特定ユーザに適用する副詞的倍率操作を決定する。これにより、文字列および絵文字を含む文章ファイルの評価レベルを算出する際に、絵文字が意図する内容をユーザに応じて評価レベルに反映させることができる。例えば、毎日、文章ファイルを作成するユーザは、特別な内容を書くことよりも、普段の私生活ことを書くことが多くなる傾向がある。これに対して、たまにしか文章ファイルを作成しないユーザは、本当に書きたいことのみを書く可能性が高い。従って、たまにしか文章ファイルを作成しないユーザが絵文字を使用した場合には、毎日、文章ファイルを作成するユーザよりも、絵文字の重み付けを大きくすることが望ましい。本実施形態によれば、この課題についても解決することができる。
【００５６】
なお、本実施形態に係る文章ファイル評価装置１は、専用のハードウェアにより実現されるものであってもよく、あるいはパーソナルコンピュータ等のコンピュータシステムにより構成され、図１に示される文章ファイル評価装置１の各部の機能を実現するためのプログラムを実行することによりその機能を実現させるものであってもよい。
【００５７】
また、その文章ファイル評価装置１には、周辺機器として入力装置、表示装置等（いずれも図示せず）が接続されるものとする。ここで、入力装置とはキーボード、マウス等の入力デバイスのことをいう。表示装置とはＣＲＴ（Cathode Ray Tube）や液晶表示装置等のことをいう。
また、上記周辺機器については、文章ファイル評価装置１に直接接続するものであってもよく、あるいは通信回線を介して接続するようにしてもよい。
【００５８】
以上、本発明の実施形態について図面を参照して詳述してきたが、具体的な構成はこの実施形態に限られるものではなく、本発明の要旨を逸脱しない範囲の設計変更等も含まれる。
例えば、上述した実施形態は、日本語以外の言語（例えば英語など）で書かれたテキストを含む文章ファイルであっても絵文字を含むものであれば、同様に適用することができる。
【００５９】
又、文章ファイル評価装置が、携帯電話機等のユーザから発信・投稿された文章ファイルを蓄積し、通信ネットワークを介して第三者に公開する機能を備えるようにしてもよい。
【００６０】
また、図７に示す各ステップを実現するためのプログラムをコンピュータ読み取り可能な記録媒体に記録して、この記録媒体に記録されたプログラムをコンピュータシステムに読み込ませ、実行することにより、文章ファイル評価処理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００６１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６２】
１…文章ファイル評価装置、１１…通信インタフェース部、１２…文章ファイル蓄積部、１３…形態素解析部、１４…文字列抽出部、１５…文字列レベル検索部、１６…文字列辞書部、２０…絵文字辞書部、２１…絵文字抽出部、２２…絵文字レベル検索部、２３…副詞的倍率検索部、２４…係り受け解析部、２５…評価レベル決定部、３０…ユーザ情報取得部、３１…評価対象文章ファイル総数計数部、３２…絵文字総数計数部、３３…絵文字使用数平均値計算部、３４…全ユーザ絵文字使用数平均値計算部、４０…ユーザ情報記憶部、５０…絵文字倍率操作部、５１…比較部、５２…副詞的倍率操作決定部
【図１】
0005876642.tif 000002
【図２】
0005876642.tif 000003
【図３】
0005876642.tif 000004
【図４】
0005876642.tif 000005
【図５】
0005876642.tif 000006
【図６】
0005876642.tif 000007
【図７】
0005876642.tif 000008